(57)【要約】【課題】上レールの取付高さに多少の不均一があっても戸板を円滑に走行させることができ、不意の衝撃によっても戸板が上レールから外れることのない、使い勝手と安全性に優れる戸板の上部ガイド構造を提供する。【解決手段】上レール１２は下方に開口するリップ溝形断面形状を有し、ランナ部材４１は、戸板１０に取り付けられるケース部４２と、ケース部４２内に昇降自在に収容されるアジャスタ部４３と、アジャスタ部４３の上方に取り付けられて水平回転するレール係合部４４とを有する。レール係合部４４はバネ部材５８を介して一方の回転方向に付勢され、回転軸を挟む略等距離位置に、上レール１２の両リップ部２３間隔よりも小径なる一対のガイドローラ５５が取り付けられる。各ガイドローラ５５の周面に形成された凹溝がリップ部２３の端縁に係合して、レール係合部４４が案内される。【選択図】図３
2006194027.tif 000002
【特許請求の範囲】
【請求項１】
下レール上を走行する戸板の上部に、戸板１枚につき少なくとも２個のランナ部材が取り付けられ、このランナ部材が戸板の上方に配設された上レールに沿って案内される引戸の上部ガイド構造であって、
上レールは、下方に開口するリップ溝形断面形状を有し、
ランナ部材は、戸板の隅部に取り付けられる、天面の開口したケース部と、このケース部内に、一定範囲内を自由に昇降しうる状態で収容されるアジャスタ部と、アジャスタ部の上方に取り付けられるレール係合部とを有し、
レール係合部は、アジャスタ部に設けられた垂直回転軸を介して水平面内を回転しうるように保持されるとともに、バネ部材を介して一方の回転方向に付勢され、上記垂直回転軸を挟む略等距離位置に、上レールの両リップ部間隔よりも直径の小さい一対のガイドローラが、それぞれ略水平に回転しうるように取り付けられ、各ガイドローラが、その周面に形成された凹溝をリップ部の端縁に係合させることにより、レール係合部が上レールに弾性的に係合した状態で上レールに沿って案内されることを特徴とする引戸の上部ガイド構造。
【請求項２】
レール係合部におけるガイドローラよりも上方位置に、短辺が上レールの両リップ部間隔よりも僅かに小さく、長辺が両リップ部間隔よりも大きい略矩形または略長円形の外れ止め板が、略水平に取り付けられたことを特徴とする請求項１に記載の引戸の上部ガイド構造。
【請求項３】
レール係合部に保持される一対のガイドローラは、短辺が上レールの両リップ部間隔よりも大きい略矩形または略長円形のガイドベース板の両端部近傍にそれぞれ軸着されたことを特徴とする請求項１に記載の引戸の上部ガイド構造。
【請求項４】
アジャスタ部は、ケース部内に設けられた４節の平行リンク機構を介して垂直方向に平行移動しうるように保持されたことを特徴とする請求項１に記載の引戸の上部ガイド構造。
【請求項５】
ケース部は、戸板の隅部に対して側方から取着し得るように形成されたことを特徴とする請求項１に記載の引戸の上部ガイド構造。
【発明の詳細な説明】
【技術分野】
【０００１】
本発明は、戸板の上部が天井面等に取り付けられた上レールに案内されて走行する引戸の上部ガイド構造に関する。
【背景技術】
【０００２】
室内空間の可動間仕切りとして設置されるような、比較的背が高くて重量の大きい引戸（引き違い戸を含む）を、天井面等に設置した上レールから吊持する上吊り方式の引戸は、戸板の荷重を負担する上レールに相当の強度が要求され、天井部分の構造設計やレールの部材設計における難易度が高い。また、戸板を上レールに吊り込む作業も手間がかかる。
【０００３】
これに対し、引戸の荷重を床面に敷設した下レールで支承する床支持方式の引戸は、部材設計が経済的に済み、戸板の建て込み作業も比較的容易である。また、天井高に多少の不均一があっても、床面と戸板との間に生じるクリアランスを一定にできるので、床面と戸板との間に足指を挟むような事故は生じにくい。
【０００４】
床支持方式の引戸においても、戸板の上部が天井面や上部枠などから外れて倒れるのを防ぎつつ、戸板を円滑に走行させるため、戸板の上部をガイドする上レールが天井面や上部枠に沿って設けられる。このような床支持方式の引戸における上部ガイド構造としては、天井面や上部枠に設けた溝の内側に戸板の上部を単純に嵌め込むけんどん方式のほか、例えば特許文献１、２等に記載の技術が公知である。
【特許文献１】特開平１０−１９６２００号公報
【特許文献２】特開２００２−８１２６５号公報
【発明の開示】
【発明が解決しようとする課題】
【０００５】
従来のけんどん方式や上記特許文献１記載のような上部ガイド構造では、上レールに対する戸板の掛かりしろを十分に確保しないと、戸板走行時の衝撃や人の寄り掛かり、あるいは地震の衝撃等によって戸板が上レールから外れ、倒れるおそれがある。
【０００６】
ところが、一般的な天井仕上げとしては、天井面に厚さ十数ミリ程度の石こうボード等を貼設し、その石こうボード等の板厚内に上レールを埋め込むことも多い。このような条件下で、天井面一杯までの可動間仕切り等を建て込もうとすると、上レール自体の高さ寸法が小さいため、戸板の掛かりしろが少ししか確保できない。したがって、床面から上レールまでの高さを精度良く均一に仕上げなければならず、そのために必要以上の手間がかかり、天井面全体の施工性にも影響する。また、天井面に埋め込んだ上レールに、経年使用による若干の撓みや湾曲が生じることもあり、これによって戸板が上レールから外れやすくなったり、戸板の円滑な走行性が損なわれたりするおそれもある。
【０００７】
上記特許文献２には、上レールの断面形状を下方に開口するリップ溝形形状とし、この上レール内に４個の走行輪を備えたランナ部材を組み込んで、上レールのリップ部上を走行させるガイド構造が開示されている。このようなガイド構造によると、上レールからランナ部材が外れてしまうおそれはないが、上レール自体の高さ寸法が小さい場合ば、ランナ部材が上レール内で上下動しうるクリアランスも少なくなるので、床面から上レールまでの高さに微小な不陸があるだけで戸板の走行に支障をきたす。したがって、このようなガイド構造を採用する場合も、床面から上レールまでの高さを精度良く均一に仕上げなければならず、施工面での負担が大きくなる。
【０００８】
本発明は、上記のような事情に鑑みてなされたもので、上レールの取付高さに多少の不均一があっても戸板を円滑に走行させることができ、かつ、不意の衝撃によっても戸板が上レールから外れることのないような、使い勝手と安全性に優れる戸板の上部ガイド構造を提供するものである。
【課題を解決するための手段】
【０００９】
上記した目的を達成するため、本発明の引戸の上部ガイド構造は、下レール上を走行する戸板の上部に、戸板１枚につき少なくとも２個のランナ部材が取り付けられ、このランナ部材が戸板の上方に配設された上レールに沿って案内される引戸の上部ガイド構造であって、上レールは、下方に開口するリップ溝形断面形状を有し、ランナ部材は、戸板の隅部に取り付けられる、天面の開口したケース部と、このケース部内に、一定範囲内を自由に昇降しうる状態で収容されるアジャスタ部と、アジャスタ部の上方に取り付けられるレール係合部とを有し、レール係合部は、アジャスタ部に設けられた垂直回転軸を介して水平面内を回転しうるように保持されるとともに、バネ部材を介して一方の回転方向に付勢され、上記垂直回転軸を挟む略等距離位置に、上レールの両リップ部間隔よりも直径の小さい一対のガイドローラが、それぞれ略水平に回転しうるように取り付けられ、各ガイドローラが、その周面に形成された凹溝をリップ部の端縁に係合させることにより、レール係合部が上レールに弾性的に係合した状態で上レールに沿って案内されることを特徴とする。
【００１０】
この発明によると、戸板に取り付けられるケース部に対して、上レールに係合するレール係合部がアジャスタ部を介して自由に昇降するので、上下レール間の高さに不陸がある場合でも、アジャスタ部がその不陸を吸収して、上レールに対するレール係合部の係合状態が常に良好に保持される。
【００１１】
さらに、レール係合部は、水平回転する一対のガイドローラによって上レールのリップ部の端縁に係合するので、上レールの高さが小さい場合でも、上レールの幅さえ確保すれば、ガイドローラの径も大きくすることができ、走行が円滑になる。
【００１２】
ガイドローラの径は上レールの両リップ部間隔よりも小さいので、上レールの任意の位置で、下方から挿入して上レールに係合させることができる。したがって、上レールにレール係合部を挿入するための欠取部等を形成する必要がない。上レールに係合されたガイドローラには、レール係合部を一方向に回転させる付勢力が作用し、ガイドローラが両リップ部間に突っ張り状態で係合されるので、戸板は常に上レールの軸心の直下に保持される。ガイドローラには、レール係合部を回転させる付勢力と、レール係合部及びアジャスタ部の自重による鉛直荷重しか作用しないので、戸板走行時の摩擦抵抗が小さく、部品の構造も簡素で済み、耐久性も向上する。
【００１３】
さらに本発明は、上記レール係合部におけるガイドローラよりも上方位置に、短辺が上レールの両リップ部間隔よりも僅かに小さく、長辺が両リップ部間隔よりも大きい略矩形または略長円形の外れ止め板が、略水平に取り付けられたことを特徴とする。
【００１４】
この発明によると、万一、不意の衝撃を受けてガイドローラが上レールのリップ部から脱輪しても、両リップ部間隔より大きい長辺寸法を有する外れ止め板が、レール係合部を回転させる付勢力を受けた状態で上レールのリップ部上に引っ掛かり、戸板が倒れるのを防ぐことができる。
【００１５】
上記レール係合部に保持される一対のガイドローラは、短辺が上レールの両リップ部間隔よりも大きい略矩形または略長円形のガイドベース板の両端部近傍にそれぞれ軸着されるのが好ましい。これによると、アジャスタ部上で水平方向に回転するレール係合部の回転姿勢が安定し、レール係合部が戸板の上框や上レールの下面に引っ掛かるのを防ぎやすくなる。
【００１６】
レール係合部を昇降させるアジャスタ部は、例えば、ケース部内に設けられた４節の平行リンク機構を介して垂直方向に平行移動しうるように保持されたものとすることができる。
【００１７】
また、上記発明におけるケース部は、戸板の隅部に対して側方から取着し得るように形成されるのが好ましい。この構成によると、戸板を建て込む前に上レールにランナ部材のレール係合部を予め係合させておき、戸板を建て込む際に、上レールからぶら下がったランナ部材のケース部を戸板の隅部に取り付けることができるので、施工が容易になる。
【発明の効果】
【００１８】
上述のように構成される本発明の引戸の上部ガイド構造によれば、戸板に取り付けられるケース部に対し、上レールに係合するレール係合部がアジャスタ部を介して自由に昇降するので、上下レール間の高さに不陸がある場合でも、アジャスタ部がその不陸を吸収して、上レールに対するレール係合部の係合状態が常に良好に保持される。
【００１９】
レール係合部は、水平回転する一対のガイドローラによって、上レールのリップ部の端縁に係合するので、上レールの高さが小さい場合でもガイドローラの径を適切に確保することができる。さらに、ガイドローラは上レールの両リップ部間隔よりも小径なので、上レールに対して任意の位置から係合させることができる。そして、このガイドローラに、レール係合部を一方向に回転させる付勢力を作用させることによって、上レールへの係合状態が安定し、戸板の走行が円滑になるとともに、戸板が常に上レールの軸心の直下に保持されることとなる。
【００２０】
さらに、ガイドローラの上方に外れ止め板を取り付けることにより、万一、不意の衝撃を受けてガイドローラが上レールのリップ部から脱輪した場合でも、戸板が倒れるのを防ぐことができる。
【００２１】
このような利点を生かせば、厚さ十数ミリ程度の天井仕上材の板厚内に上レールを埋め込むことも容易になり、天井全体の構造設計や部材設計における経済性が向上するとともに施工性も良好になる。
【発明を実施するための最良の形態】
【００２２】
以下、本発明の実施の形態について図を参照して説明する。
【００２３】
図１は、本発明の引戸の上部ガイド構造を採用した引戸の概略構成を示す。この引戸は、開口部の略半分幅の２枚の戸板１０が引き違い可能に配置されたもので、２枚の戸板１０は、床面に敷設された２本の下レール１１と、天井面に取り付けられた２本の上レール１２とによってそれぞれガイドされる。
【００２４】
下レール１１は、本発明の要部ではなく、その構造は特に限定されないが、例えば床面に埋め込まれる略Ｕ字状の形状をなし、その溝上を戸板１０の下部に取り付けられた高さ調整機能付きの下戸車１３が転動しうるようなものである。
【００２５】
図２〜図５は、本発明の引戸の上部ガイド構造の実施形態を示す。
【００２６】
上レール１２は、戸板１０の厚みと略同幅に形成された上底部２１と、上底部２１の両縁から垂下する一対の側壁部２２と、側壁部２２の下縁から内側に向かって水平に張り出す一対のリップ部２３とを備えた、いわゆるリップ溝形断面形状をなしている。例示の上レール１２は、上底部２１を天井下地材３１にビス止めすることにより天井面に固定され、その両側に上レール１２と略同厚の天井仕上材（例えば石こうボード等）３２が貼設されている。
【００２７】
上レール１２を２本引きに配設する場合には、例えば２本の上レール１２を、上底部２１を延設して形成した適宜幅の連結板を介して一体に成形し、その連結板を天井下地材３１に固定するようにしてもよい。
【００２８】
上レール１２における側壁部２２の外側には、天井仕上材３２の端面を当接させるための凸条２４が、材軸方向に沿って形成されている。さらに、側壁部２２の下縁部には、リップ部２３の外方に延設された張出片２５と、この張出片よりやや上方に突設された突片２６からなる溝部が形成されている。この溝部は、天井仕上材３２の下面に貼設されるクロス材３３の端部を美麗に仕舞って、クロス材３３の端部がめくれるのを防ぐのに寄与する。
【００２９】
ランナ部材４１は、戸板１０の隅部２ヶ所にて戸板１０を上レール１２に係合する部材であって、戸板１０の隅部に取り付けられるケース部４２と、ケース部４２内に収容されるアジャスタ部４３と、アジャスタ部４３の上方に取り付けられるレール係合部４４とを備える。
【００３０】
ケース部４２は、天面が開口して内側に中空部を有する略箱状の部材であって、その前後幅が戸板１０の厚みに収まる寸法に形成され、図５に示すように、戸板１０の隅部に形成された取付用切欠部１４に側方から取り付けられる。ケース部４２と戸板１０との固定は、ケース部４２本体、またはケース部４２の一部から延設された適宜形状の固定片４５を戸板１０にビス止めすることにより行われる。
【００３１】
アジャスタ部４３は、垂直方向の軸孔を有する筒体４６と、この筒体４６をケース部４２内で自由に昇降させる昇降手段を有している。例示の形態に係る昇降手段は、筒体４６の側部に形成された袖板４７と、ケース部４２の内側に突設されたアジャスタ支持片４８、４９とが、上下２本のリンクアーム５１、５２を介してピン連結されることにより、いわゆる４節の平行リンク機構となるように構成されている。これにより、筒体４６が一定範囲内で自由に昇降しうるように保持される。
【００３２】
レール係合部４４は、上記筒体４６の軸孔に挿入されて上方に突出する軸ピン５３と、軸ピン５３に取り付けられたガイドベース板５４と、ガイドベース板５４の両端部近傍にそれぞれ軸着されて水平に回転する一対のガイドローラ５５と、ガイドローラ５５よりも上方位置にて軸ピン５３に取り付けられた外れ止め板５６とを有している。
【００３３】
軸ピン５３は、筒体４６の底部に挿通されたビス５７によって筒体４６から抜け出さないように保持され、筒体４６の軸孔内で自由に回転する。ガイドベース板５４は、短辺が上レール１２の両リップ部２３間隔（図４における符号Ｗ）よりも大きい略矩形または略長円形の形状をなし、その中心に軸ピン５３が挿通されて、軸ピン５３ととともに水平面内を回転しうるように保持される。このガイドベース板５４と筒体４６との間には、例えばトーションバネのようなバネ部材５８が掛着され、ガイドベース板５４を一方の回転方向に付勢している。
【００３４】
ガイドローラ５５は、その最大外径が上レール１２の両リップ部２３間隔よりもわずかに（数ミリ程度）小さくなるように形成され、軸ピン５３を挟んで等距離かつ正反対の位置となるように、ガイドベース板５４に軸着されている。ガイドローラ５５の周面には凹溝が形成されて、この凹溝が上レール１２のリップ部２３の端縁に係合する。
【００３５】
軸ピン５３の頂部はガイドローラ５５よりも上方まで突出しており、その頂部に外れ止め板５６が水平に固着されている。外れ止め板５６の形状は、短辺が上レール１２の両リップ部２３間隔よりも僅かに小さく、長辺が両リップ部２３間隔よりも大きい略矩形または略長円形となされている。
【００３６】
このようなランナ部材４１を介して戸板１０を上レール１２に係合すれば、上下レール間の高さに不陸がある場合でも、その不陸をアジャスタ部４３が吸収するので、上レール１２に対するレール係合部４４の係合状態が常に良好に保持される。また、ガイドローラ５５には、レール係合部４４を一方向に回転させる付勢力が作用し、一対のガイドローラ５５が両リップ部２３間に突っ張り状態で係合されるので、戸板１０は常に上レール１２の軸心の直下に保持される。ガイドローラ５５には、レール係合部４４を回転させる付勢力と、レール係合部４４及びアジャスタ部４３の自重による鉛直荷重しか作用しないので、戸板１０を走行させるときの摩擦抵抗は小さくて済み、戸板１０が円滑に走行する。
【００３７】
さらに、このガイドローラ５５は、上レール１２のリップ部２３に対して簡単に係合させることができる。すなわち、図６に示すように、ガイドベース板５４の長軸を上レール１２と平行にした状態でランナ部材４１を持ち上げれば、最大外径が上レール１２の両リップ部２３間隔よりもわずかに小さいガイドローラ５５は、簡単に両リップ部２３間に挿入されて両リップ部２３に係合する。したがって、上レール１２にランナ部材４１を挿入するための欠取部を形成したり、その欠取部を閉鎖するためのストッパ部材を用意したりする必要は一切ない。
【００３８】
予め、戸板１枚あたり２個ずつのランナ部材４１を、戸板１０に取り付けていない状態で上レール１２に係合させ、その後、戸板１０を下レール１１に載せて建て起こし、戸板１０の隅部にランナ部材４１のケース部４２を固定すれば、戸板１０を持ち上げることなく、開口面内の任意の位置で、戸板１０とランナ部材４１とを容易に連結することができる。
【００３９】
また、万一、戸板１０に強い衝撃が加わってガイドローラ５５が上レール１２のリップ部２３から脱輪しても、両リップ部２３間隔より大きい長辺寸法を有する外れ止め板５６が、レール係合部４４を回転させる付勢力を受けた状態で上レール１２のリップ部２３上に引っ掛かるので、戸板１０が倒れるのを防ぐことができる。
【００４０】
なお、本発明は、上記実施形態に限定されず、戸板１０及びレールの数や開閉形態（片引き、引き違い、引き込み、引き分け等）を変えたり、上レール１２を天井以外の部位（例えば梁下等）に取り付けたりするなどの形態によっても実施することは可能である。
【産業上の利用可能性】
【００４１】
本発明の引戸の上部ガイド構造は、各種建築物や家具の引戸式建具、可動間仕切り壁等に利用することができる。
【図面の簡単な説明】
【００４２】
【図１】本発明の実施形態に係る引戸の概略構成を示す立面図である。
【図２】本発明の実施形態に係る引戸の上部ガイド構造を示す図であって、上レール及びランナ部材を上レールの材軸と直交する方向に切断した縦断面である。
【図３】同じく、上レール及びランナ部材を上レールの材軸と平行な方向に切断した縦断面である。
【図４】同じく、上レールに係合したランナ部材を上から見た上面図である。
【図５】ランナ部材と、その戸板への取り付け形態を示す部分斜視図である。
【図６】ランナ部材のレール係合部を上レールに係合させる方法を示す斜視図である。
【符号の説明】
【００４３】
１０  戸板
１１  下レール
１２  上レール
２３  リップ部
４１  ランナ部材
４２  ケース部
４３  アジャスタ部
４４  レール係合部
５４  ガイドベース板
５５  ガイドローラ
５６  外れ止め板
５８  バネ部材
【図１】
2006194027.tif 000003
【図２】
2006194027.tif 000004
【図３】
2006194027.tif 000005
【図４】
2006194027.tif 000006
【図５】
2006194027.tif 000007
【図６】
2006194027.tif 000008